(57)【要約】【課題】ジャムした用紙を、版材装着体を引き出すことなく、簡単に取り除くことができる、孔版印刷機を、提供すること。【解決手段】製版された版材を装着する版胴２を備え、装着した版材を介して用紙に印刷を行う、孔版印刷機１において、印刷後の用紙を版材から剥離するための用紙剥離部材４を備えており、用紙剥離部材４が、版胴２の外周面に対向して略水平に延びた支持軸４１と、支持軸４１から版胴２の外周面に向かって突出した剥離爪４２と、を有しており、用紙剥離部材４は、支持軸４１の一方の端部４８を支点として、剥離爪４２が版胴２の外周面から離れる方向へ、回動できるように、設けられている、ことを特徴としている。【選択図】図１０
2010137373.tif 000002
【特許請求の範囲】
【請求項１】
製版された版材を装着する版材装着体を備え、装着した版材を介して用紙に印刷を行う、孔版印刷機において、
印刷後の用紙を版材から剥離するための用紙剥離部材を備えており、
用紙剥離部材が、版材装着体の外周面に対向して略水平に延びた支持軸と、支持軸から版材装着体の外周面に向かって突出した剥離爪と、を有しており、
用紙剥離部材は、支持軸の一端を支点として、剥離爪が版材装着体の外周面から離れる方向へ、回動できるように、設けられている、ことを特徴とする孔版印刷機。
【請求項２】
用紙剥離部材は、支持軸の上記一端を支点として、略水平方向へ回動できるように、設けられている、請求項１記載の孔版印刷機。
【請求項３】
版材装着体から版材を剥離する排版ユニットを、略水平方向に開閉可能に、備えており、
用紙剥離部材は、排版ユニットよりも下方の位置で、支持軸の上記一端を支点として、略水平方向へ回動できるように、設けられている、請求項１記載の孔版印刷機。
【発明の詳細な説明】
【技術分野】
【０００１】
本発明は、孔版印刷機に関し、特に用紙剥離部材に関するものである。
【背景技術】
【０００２】
孔版印刷機は、版材装着体の版材から、印刷後の用紙を剥離するために、用紙剥離部材を備えている。そして、従来の孔版印刷機において、用紙剥離部材は、版材装着体の外周面に対向して、固定して設けられていた。
【特許文献１】特開２００４−３２２３６３号公報
【特許文献２】実公平７−３６７７６号公報
【発明の開示】
【発明が解決しようとする課題】
【０００３】
ところで、孔版印刷機においては、用紙剥離部材が設けられているにも拘わらず、印刷後の用紙が円滑に剥離されず、用紙のジャムが生じることがあった。そして、そのような場合において、特許文献１、２の装置では、版材装着体を引き出して、ジャムした用紙を取り除くようにしている。しかしながら、用紙がジャムした状態で、版材装着体を引き出そうとすると、ジャムしている用紙が引き千切れたりするため、特許文献１、２の装置では、用紙の取り除き作業が煩雑になる、という不具合があった。
【０００４】
本発明は、ジャムした用紙を、版材装着体を引き出すことなく、簡単に取り除くことができる、孔版印刷機を、提供することを目的とする。
【課題を解決するための手段】
【０００５】
本発明は、製版された版材を装着する版材装着体を備え、装着した版材を介して用紙に印刷を行う、孔版印刷機において、印刷後の用紙を版材から剥離するための用紙剥離部材を備えており、用紙剥離部材が、版材装着体の外周面に対向して略水平に延びた支持軸と、支持軸から版材装着体の外周面に向かって突出した剥離爪と、を有しており、用紙剥離部材は、支持軸の一端を支点として、剥離爪が版材装着体の外周面から離れる方向へ、回動できるように、設けられている、ことを特徴としている。
【０００６】
本発明は、更に、次の構成を採用するのが好ましい。
（Ａ）用紙剥離部材は、支持軸の上記一端を支点として、略水平方向へ回動できるように、設けられている。
【０００７】
（Ｂ）版材装着体から版材を剥離する排版ユニットを、略水平方向に開閉可能に、備えており、用紙剥離部材は、排版ユニットよりも下方の位置で、支持軸の上記一端を支点として、略水平方向へ回動できるように、設けられている。
【発明の効果】
【０００８】
本発明によれば、用紙剥離部材を回動させることによって、用紙剥離部材に対向していた、版材装着体の外周面を、開放できる。したがって、ジャムした用紙を、版材装着体を引き出すことなく、簡単に取り除くことができる。また、ジャムした時に剥離爪に突き刺さった用紙を、剥離爪から外すことができ、それによって、用紙を引き千切らないで取り除くことができる。
【０００９】
上記構成（Ａ）によれば、用紙剥離部材を、版材装着体の外周面から、確実に引き離すことができるので、版材装着体の外周面を、確実に開放できる。
【００１０】
上記構成（Ｂ）によれば、排版ユニット及び用紙剥離部材の両者を、版材装着体の外周面から、確実に引き離すことができるので、版材装着体の外周面を、確実に且つ広範囲に開放できる。
【発明を実施するための最良の形態】
【００１１】
図１は、本発明の孔版印刷機の内部の一部の斜視図である。図２は、図１のII矢視図である。図３は、図１のIII矢視図である。この孔版印刷機１は、通常の孔版印刷機と同様の部品を備えており、これらの図においては、主として、版胴２と、排版ユニット３と、用紙剥離部材４と、排紙台５と、が示されている。
【００１２】
版胴２は、製版された版材を装着する版材装着体として機能する。版胴２は、図２において反時計回り（矢印Ａ方向）に回転する。排版ユニット３は、版胴２に装着され且つ印刷処理に使用された版材を、版胴２から剥離して、収容するように、構成されている。排版ユニット３は、図２において版胴２の右側上部に位置している。
【００１３】
用紙剥離部材４は、図２において版胴２の右側下部に、版胴２の外周面に対向して、設けられており、印刷後の用紙を版胴２の版材から剥離するよう機能する。用紙剥離部材４は、排版ユニット３よりも下方に位置している。用紙剥離部材４は、水平に設けられた支持軸４１と、支持軸４１から版胴２の外周面に向かって突出した剥離爪４２と、を有している。支持軸４１は、版胴２の回転軸２１と平行に、版胴２と略同じ長さだけ、延びている。剥離爪４２は、支持軸４１の軸方向の略中央部に少なくとも１個設けられている。ここでは、剥離爪４２は１個設けられており、剥離爪４２の両側の突出部材４３、４４は、突出方向に向けて空気を吹き出すようになっている。
【００１４】
排紙台５は、用紙剥離部材４によって剥離された用紙を、矢印Ｂ方向に、すなわち、排紙トレイ（図示せず）に向けて、搬送するよう機能する。
【００１５】
図４は、図１のIV矢視模式図である。本発明においては、用紙剥離部材４の支持軸４１の、一方の端部４８と他方の端部４９とが、以下に説明するように、構成されている。
【００１６】
図５は、図３の端部４８の拡大図である。図５に示されるように、端部４８は、孔版印刷機１の本体の背面プレート８１から水平に延びたアーム８２の先端に、垂直軸８３によって、連結され且つ支持されている。これにより、端部４８は、図５のVI矢視図である図６において一点鎖線で示されるように、垂直軸８３回りに、すなわち、水平方向に、回動可能となっている。
【００１７】
図７は、図３の端部４９のVII矢視拡大図である。端部４９は、ネジ８６によって、止め具８４の受部８４１に、着脱自在に、ねじ止めされるようになっている。すなわち、端部４９は、ネジ８６を緩めると、図７において一点鎖線で示されるように、受部８４１から取り外すことができる。なお、止め具８４は、孔版印刷機１の本体の正面プレート８５に取り付けられている。
【００１８】
したがって、図８に示されるように、用紙剥離部材４は、ネジ８６を緩めることによって端部４９を受部８４１から取り外すと、端部４８を支点として、剥離爪４２が版胴２の外周面から離れる方向へ、すなわち、矢印Ｒ１方向へ、回動できる。なお、用紙剥離部材４は、略９０度まで回動できる。
【００１９】
一方、排版ユニット３は、背面プレート８１に、ヒンジ部３１によって、片持ち支持されており、図８に示されるように、ヒンジ部３１を支点として、水平方向に、すなわち、矢印Ｒ２方向に、回動できるようになっている。すなわち、排版ユニット３は、水平方向に開閉可能である。なお、排版ユニット３も、略９０度まで回動できる。
【００２０】
上記構成の孔版印刷機１においては、印刷後の用紙が剥離されず、図２における版胴２の特に右側外周面上にて用紙のジャムが生じた場合には、ジャムした用紙は、次のようにして取り除かれる。
【００２１】
まず、図９に示されるように、排版ユニット３を矢印Ｒ２方向へ回動させる。すなわち、排版ユニット３を水平方向に開く。なお、回動角度は略９０度が好ましい。次に、用紙剥離部材４において、ネジ８６を緩めて、端部４９を受部８４１から取り外す。そして、図１０に示されるように、支持軸４１を、端部４８を支点として、矢印Ｒ１方向へ、回動させる。すなわち、用紙剥離部材４を、剥離爪４２が版胴２の外周面から離れる方向へ、回動させる。なお、回動角度は略９０度が好ましい。このとき、用紙剥離部材４は、排版ユニット３よりも下方に位置しているので、排版ユニット３は、用紙剥離部材４の回動の邪魔にはならない。これにより、図８に示されるように、用紙がジャムした領域Ｘが、矢印Ｃ方向から見て、確実に開放される。特に、上記構成の孔版印刷機１においては、用紙剥離部材４が回動するだけでなく、排版ユニット３も回動するので、領域Ｘは、確実に且つ広範囲に開放される。したがって、作業者は、図８に示されるように、排版ユニット３側から、領域Ｘへ、容易に手を差し込むことができ、ジャムした用紙を容易に取り除くことができる。なお、図１１は、図１０のＸＩ矢視図である。図１２は、図１０のＸII矢視図である。
【００２２】
なお、本発明においては、次のような変形構造を採用してもよい。
（１）用紙剥離部材４の支持軸４１の端部４９が、図１３に示されるように、マグネット８７によって、止め具８４の受部８４１に、着脱自在に、固着されている。
【００２３】
（２）用紙剥離部材４が、図１４に示されるように、斜め上方に向かって回動できるように、設けられている。この場合でも、領域Ｘは、矢印Ｃ方向から見て開放される。
【００２４】
（３）排版ユニット３が、開閉不能である。この場合でも、用紙剥離部材４は、排版ユニット３よりも下方に位置しているので、略９０度まで回動できる。したがって、領域Ｘは、矢印Ｃ方向から見て開放される。
【００２５】
（４）版材装着体が、上述の版胴２のような単胴式ではなく、複胴式である。
【産業上の利用可能性】
【００２６】
本発明は、ジャムした用紙を版材装着体から簡単に取り除くことができるので、産業上の利用価値が大である。
【図面の簡単な説明】
【００２７】
【図１】本発明の孔版印刷機の内部の一部の斜視図である。
【図２】図１のII矢視図である。
【図３】図１のIII矢視図である。
【図４】図１のIV矢視模式図である。
【図５】図３の一方の端部の拡大図である。
【図６】図５のVI矢視図である。
【図７】図３の他方の端部のVII矢視拡大図である。
【図８】図４に相当する図であり、排版ユニット及び用紙剥離部材の両者が開いた状態を示す図である。
【図９】図１に相当する図であり、排版ユニットが開いた状態を示す図である。
【図１０】図１に相当する図であり、排版ユニット及び用紙剥離部材の両者が開いた状態を示す図である。
【図１１】図１０のＸＩ矢視図である。
【図１２】図１０のＸII矢視図である。
【図１３】図７に相当する図であり、用紙剥離部材の支持軸の他方の端部の変形構造を示す図である。
【図１４】図１１に相当する図であり、用紙剥離部材の変形例を備えた孔版印刷機の正面模式図である。
【符号の説明】
【００２８】
１  孔版印刷機  ２  版胴  ３  排版ユニット  ４  用紙剥離部材  ４１  支持軸  ４２  剥離爪  ４８  （一方の）端部
【図１】
2010137373.tif 000003
【図２】
2010137373.tif 000004
【図３】
2010137373.tif 000005
【図４】
2010137373.tif 000006
【図５】
2010137373.tif 000007
【図６】
2010137373.tif 000008
【図７】
2010137373.tif 000009
【図８】
2010137373.tif 000010
【図９】
2010137373.tif 000011
【図１０】
2010137373.tif 000012
【図１１】
2010137373.tif 000013
【図１２】
2010137373.tif 000014
【図１３】
2010137373.tif 000015
【図１４】
2010137373.tif 000016